(57)【要約】      （修正有）【課題】高転送速度且つ簡単迅速な組立効果を有するＵＳＢコネクタを提供する。【解決手段】ＵＳＢコネクタは金属ケースと絶縁本体と第一導電端子とを備え、前記絶縁本体は金属ケース内に収納し、絶縁本体には複数の第一端子溝を設け、前記第一導電端子には第一固定部を備え、第一固定部に沿う一端には湾曲延伸する第一接触部を形成し、第一固定部に沿う他の一端には第一半田付け部を延伸させ、第一固定部は対応する第一端子溝内に収め入れ、隣接する第一半田付け部間には隔離区を形成する。更に支持架を備え、支持架に含まれる支持架主部の一方側には外側に突出する定位柱を備え、支持架主部の他の一方側には外側方向に突出し隔離区内に延伸する断熱体を備え、絶縁本体の上端面には定位柱を挿入し嵌合するための定位溝を設け、第一半田付け部は絶縁本体と支持架主部間を挟持する。【選択図】図３
0003162499.tif 000002
【実用新案登録請求の範囲】
【請求項１】
金属ケースと、
金属ケース内に収納し複数の第一端子溝を設ける絶縁本体と、
それぞれを第一端子溝内に収納し第一固定部を備え、第一固定部に沿う一端に湾曲延伸する第一接触部を形成し、第一固定部に沿う他の一端には第一半田付け部を延伸させ、第一固定部は対応する第一端子溝内に収め入れ、隣接する第一半田付け部間には隔離区を形成する複数の第一導電端子と、
絶縁本体上に取り付け、一方側に外側に突出する定位柱を備え他の一方側に外側方向に突出し隔離区内に延伸する断熱体を備える支持架主部を含み、前記絶縁本体の上端面には定位柱を挿入し嵌合するための定位溝を設け、第一半田付け部は絶縁本体と支持架主部間を挟持する支持架とを備えるＵＳＢコネクタ。
【請求項２】
請求項１記載のＵＳＢコネクタにおいて、前記絶縁本体の上端面上には二つの相互に平行する突出体を突設し、二つの突出体間には前記定位溝を形成することを特徴とするＵＳＢコネクタ。
【請求項３】
請求項２記載のＵＳＢコネクタにおいて、前記突出体には定位溝内に延伸する第一係止部を備え、前記定位柱上には第一係止部と相互に嵌合する第二係止部を突設することを特徴とするＵＳＢコネクタ。
【請求項４】
請求項１記載のＵＳＢコネクタにおいて、前記絶縁本体の下端面には前記第一端子溝と同方向の複数の第二端子溝を設け、第二端子溝には対応する第二導電端子を収納し、第二導電端子には第二端子溝中に収納するための第二固定部を備え、第二固定部に沿う一端には湾曲する第二接触部を延伸し、第二固定部に沿う他の一端には第二半田付け部を延伸することを特徴とするＵＳＢコネクタ。
【請求項５】
請求項４記載のＵＳＢコネクタにおいて、前記ＵＳＢコネクタには更に絶縁積載体を含み、絶縁本体は前記絶縁積載体上に積載し且つ絶縁積載体に嵌合し、絶縁積載体は凹溝を設け、前記第二導電端子の第二接触部は対応する凹溝中に嵌合することを特徴とするＵＳＢコネクタ。
【請求項６】
請求項５記載のＵＳＢコネクタにおいて、前記絶縁積載体は積載板を備え、積載板に沿う一端の両側面にはそれぞれ延伸する嵌合支持アームを形成し、嵌合支持アーム間には嵌合支持区を形成し、嵌合支持アーム上には前記嵌合支持区方向に延伸する係止体を形成し、積載体のもう一端には積載区を形成し、前記凹溝は積載区上に設け、前記絶縁本体は嵌合支持区内に収納し嵌合支持アームと係止することを特徴とするＵＳＢコネクタ。
【請求項７】
請求項６記載のＵＳＢコネクタにおいて、前記絶縁本体の両側面には前記係止体に対応する係止口を設けることを特徴とするＵＳＢコネクタ。
【請求項８】
請求項４記載のＵＳＢコネクタにおいて、前記第一固定部或いは／及び第二固定部上には逆刺を突設することを特徴とするＵＳＢコネクタ。
【考案の詳細な説明】
【技術分野】
【０００１】
本考案は一種のコネクタに係り、特にユニバーサル・シリアル・バス・コネクタ（ＵＳＢコネクタ）に関する。
【背景技術】
【０００２】
ユニバーサル・シリアル・バス・コネクタ（ＵＳＢ）は挿入後即使用をサポートする外部バスである。一つのＵＳＢポートで例えばシーディーロム、キーボード、マウス、ケーブルモデム、携帯電話、カメラ等の多種の機器を外付けできるため、非常に便利に使用できる。現在ＵＳＢ3.0はＵＳＢ2.0の十倍の転送速度を有し更に高い省エネ効果を発揮する。
【０００３】
ＵＳＢ3.0は、ＵＳＢ2.0の４線構造（電源、グラウンド、二本のデータ）を基礎として更に信号の受信送信のための４線を追加し、ケーブル内、インターフェース上の何れにおいても合計８線を有しており、追加した４線（２組）によって高転送速度に必要なバンド幅をサポートし、転送速度の高速化を実現する。
【０００４】
また、信号の転送方法においては依然として本体制御方式が採用されているが非同期転送モード（ＡＴＭ）に変更する。ＵＳＢ3.0はＵＳＢ2.0時代の半二重通信ではなく双方向データ通信を利用する。簡単に言えば、データは一方向へ流動するだけでよく、待つ時に引き起こされる時間の浪費を減少させる。ＵＳＢ3.0の装置と本体間は更にしっくりとした組み合わせとなりデュアルバスを利用した通信モードの優位性を最大限に発揮する。
【０００５】
ＵＳＢ3.0のバンド幅は理論的には10倍向上する。これにより更に大きな市場潜在力を有しており、一旦ＵＳＢ3.0が世に出たら、パソコン機器の各ポートに広く応用され消費者の注目を集めるであろう。
【考案の概要】
【考案が解決しようとする課題】
【０００６】
しかし、ＵＳＢコネクタの転送速度が高まるにつれ、その構造もまた複雑化しているため、初期の低転送速度、簡単構造のＵＳＢコネクタと比較し、従来の組立方法を採用して現在の高転送速度、複雑構造のＵＳＢコネクタを組み立てた場合、大量生産効率は大幅に低下する。また、端子収納溝内に収めているコネクタの導電端子は長時間使用するか外力作用を受けた場合、端子収納溝に沿ってスライドするか持ち上がりを起こすとＵＳＢコネクタの転送性能に影響を及ぼす。よって各生産メーカーは先を競い合い各種方法によって組立が簡単迅速且つ転送性能の良好なコネクタ構造に改善しようとしている。
【０００７】
そこで、転送性能の良好な組立が簡単迅速なＵＳＢコネクタの出現が待たれている。
【０００８】
本考案の目的は前記従来技術の不足点に対し良好な転送機能且つ組立の簡単迅速なＵＳＢコネクタを提供することにある。
【課題を解決するための手段】
【０００９】
上述の目的を実現するため、本考案の提供するＵＳＢコネクタは金属ケースと絶縁本体と第一導電端子とを備え、前記絶縁本体は金属ケース内に収納し、絶縁本体には複数の第一端子溝を設け、前記第一導電端子には第一固定部を備え、第一固定部に沿う一端には湾曲延伸する第一接触部を形成し、第一固定部に沿う他の一端には第一半田付け部を延伸させ、第一固定部は対応する第一端子溝内に収め入れ、隣接する第一半田付け部間には隔離区を形成する。本考案のＵＳＢコネクタは更に支持架を備え、支持架に含まれる支持架主部の一方側には外側に突出する定位柱を備え、支持架主部の他の一方側には外側方向に突出し隔離区内に延伸する断熱体を備え、絶縁本体の上端面には定位柱を挿入し嵌合するための定位溝を設け、第一半田付け部は絶縁本体と支持架主部間を挟持する。
【考案の効果】
【００１０】
本考案のＵＳＢコネクタの支持架には定位柱と断熱体を設置するため、本考案のＵＳＢコネクタの金型成型を行う場合、冷却前の液体プラスチックは流動性を備えるため支持架による制御が必要であり、定位柱は良好な支持架固定作用を起こして支持架全体を安定状態とし、液体プラスチックが前方へ流動し第一固定部と信号線の半田付け不良を防止するため転送性能に影響を与える。また、第一固定部２１０においてもまた断熱機能のある断熱体５１２を提供する故、第一半田付け部と信号線を半田付けする場合に引き起こされる半田ボール過大による第一半田付け部間の相互ショートを防止する。
【図面の簡単な説明】
【００１１】
【図１】本考案のＵＳＢコネクタの第一実施例に関する立体図である。
【図２】本考案のＵＳＢコネクタから金属ケースを取り除いた状態の立体図である。
【図３】図２の立体分解図である。
【図４】図３を別の方向から見た立体分解図である。
【図５】図３を更に別の方向から見た立体分解図である。
【考案を実施するための形態】
【００１２】
本考案の技術内容、構造特徴、それが実現する目的及び効果をご理解戴くために、次に図面を添付した実施例を用い詳細説明を行う。
【００１３】
図１から図３を参照されたい。本考案のＵＳＢコネクタの第一実施例であるオスコネクタは金属ケース６００と絶縁本体３００と第一導電端子２００とを備え、前記絶縁本体３００は金属ケース６００内に収納し、絶縁本体３００には複数の第一端子溝３４０を設け、前記第一導電端子２００には第一固定部２１０を備え、第一固定部２１０に沿う一端には湾曲延伸する第一接触部２２０を形成し、第一固定部２１０に沿う他の一端には第一半田付け部２３０を延伸させ、第一固定部２１０は対応する第一端子溝３４０内に収め入れ、隣接する第一半田付け部２３０間には隔離区２４０を形成する。
【００１４】
本考案のＵＳＢコネクタは更に支持架５００を備え、支持架５００に含まれる支持架主部５１０の一方側には外側に突出する定位柱５１１を備え、支持架主部５１０の他の一方側には外側方向に突出し隔離区２４０内に延伸する断熱体５１２を備え、絶縁本体３００の上端面には定位柱５１１を挿入し嵌合するための定位溝３１７を設け、第一半田付け部２３０は絶縁本体３００と支持架主部５１０間を挟持し、具体的には隣接する第一半田付け部２３０間に隔離区２４０を形成する。
【００１５】
図２から図３を参照されたい。絶縁本体３００の上端面上に二つの相互に平行する突出体３１５を突設し、二つの突出体３１５間に定位溝３１７を形成する。突出体３１５には定位溝３１７内に延伸する第一係止部３１３を備え、定位柱５１１上には第一係止部３１３と相互に嵌合する第二係止部５１３を突設する故、定位柱５１１は絶縁本体３００上にしっかりと固定される。
【００１６】
図３から図５を参照されたい。絶縁本体３００の下端面には第一端子溝３４０と同方向に複数の第二端子溝３５０を設け、第二端子溝３５０には対応する第二導電端子１００を収納し、第二導電端子１００には第二端子溝３５０中に収納するための第二固定部１１０を備え、第二固定部１１０の一端には湾曲する第二接触部１２０を延伸させ、第二固定部１１０に沿う他の一端には第二半田付け部１３０を延伸させる。
【００１７】
図３から図５を参照されたい。絶縁本体３００は絶縁積載体４００上に積載し且つ絶縁積載体４００に嵌合し、絶縁積載体４００は凹溝４４０を設け、第二導電端子１００の第二接触部１２０は対応する凹溝４４０中に嵌合する。絶縁積載体４００は積載板を備え、積載板に沿う一端の両側面にそれぞれ嵌合支持アーム４１０を延伸し、嵌合支持アーム４１０の間には嵌合支持区４２０を形成し、嵌合支持アーム４１０上には嵌合支持区４２０方向に延伸する係止体４１１を形成し、積載体のもう一端には積載区４３０を形成し、凹溝４４０は積載区４３０上に設け、絶縁本体３００は嵌合支持区４２０内に収納し嵌合支持アーム４１０と係止する。
【００１８】
図２から図３を参照されたい。絶縁本体３００の両側には係止体４１１に対応する係止口３１２を設け、係止体４１１と係止口３１２の組み合わせによって絶縁本体３００は絶縁積載体４００上にしっかりと係止する。
【００１９】
図３から図５を参照されたい。第一導電端子２００及び第二導電端子１００上の第一固定部２１０には逆刺１１１を、第二固定部１１０上には逆刺１１１を突設するため、第一固定部２１０及び第二固定部１１０を便利に絶縁本体３００上に固定する。
【００２０】
上述したように、本考案のＵＳＢコネクタの支持架５００に定位柱５１１と断熱体５１２を設置するため、本考案のＵＳＢコネクタの金型成型を行う場合、冷却前の液体プラスチックには流動性を備え、よって支持架５００による制御が必要であり、定位柱５１１は良好な支持架５００の固定作用を起こし、よって支持架５００全体は安定状態となり、液体プラスチックが前方へ流動し第一固定部２１０と信号線の半田付け不良を防止し、それによって転送性能に影響を及ぼす。また、第一半田付け部２３０においてもまた断熱機能のある断熱体５１２を提供する故、第一固定部２１０と信号線を半田付けする場合に引き起こされる半田ボール過大による第一半田付け部２３０間の相互ショートを防止する。
【符号の説明】
【００２１】
１００  第二導電端子
１１１  逆刺
１１０  第二固定部
１２０  第二接触部
２００  第一導電端子
２１０  第一固定部
２２０  第一接触部
２３０  第一半田付け部
２４０  隔離区
３００  絶縁本体
３１２  係止口
３１３  第一係止部
３１５  突出体
３１７  定位溝
３４０  第一端子溝
３５０  第二端子溝
４００  絶縁積載体
４１０  嵌合支持アーム
４１１  係止体
４２０  嵌合支持区
４３０  積載区
４４０  凹溝
５００  支持架
５１０  支持架主部
５１１  定位柱
５１２  断熱体
５１３  第二係止部
６００  金属ケース
【図１】
0003162499.tif 000003
【図２】
0003162499.tif 000004
【図３】
0003162499.tif 000005
【図４】
0003162499.tif 000006
【図５】
0003162499.tif 000007